(57)【要約】 【課題】  経時変化による変色を抑制し得るリライト層を有するＩＣタグを提供すること。【解決手段】  リライト層６に、紫外線吸収剤を含有させる。紫外線吸収剤は、別途に設ける紫外線吸収層に含有させることも可能である。これによって、リライト層を構成する高分子材料の、紫外線の作用による化学変化を抑制し、変色も抑制できる。【選択図】  図１
2005190076.tif 000002
【特許請求の範囲】
【請求項１】
リライト層を有するＩＣタグにおいて、前記リライト層は紫外線吸収剤を含むことを特徴とするＩＣタグ。
【請求項２】
リライト層を有するＩＣタグにおいて、前記リライト層は紫外線吸収剤を含む、紫外線吸収層を有することを特徴とするＩＣタグ。
【発明の詳細な説明】
【技術分野】
【０００１】
本発明は、ＩＣタグに関するもので、特に、文字、図形、バーコードの書き込みや消去が可能なリライト層を有するＩＣタグに関するものである。
【背景技術】
【０００２】
ＩＣチップとアンテナを内蔵し、カードリーダ、カードライターを介して情報の授受が可能なＩＣカードが実用化され、様々な分野で利用されている。この中でも、商品に取り付けて、商品管理に用いられる、いわゆるＩＣタグには、表面に視認可能な文字、図形やバーコードを印刷し得る表示層を設けることで、利便性を向上することが行われている。
【０００３】
この表示層は、リサイクルを考慮して、視認可能情報の書き込みや消去を繰り返すことが可能な、いわゆるリライト層として用いることが多い。そして、ＩＣタグにこのような機能を付与するために、サーモクロミック材料を用いた可逆性感熱記録層がリライト層として採用されている。
【０００４】
このようなＩＣタグにおける問題の一つとして、長期間使用により、変色などの経時変化が生じることである。これは、リライト層の基材に高分子材料が用いられること、高分子材料の多くが、太陽光線や蛍光灯に含まれる紫外線により、化学変化を起こすことによる。そして、この現象が甚だしい場合は、変色のために、視認可能情報が識別不可となることがある。
【０００５】
特許文献１、特許文献２には、サーマルヘッドを用いて、視認可能情報を、表面に書き込み及び消去を繰り返すことが可能な、可逆感熱記録層を設けたＩＣカードが開示されている。しかしながら、特許文献１、特許文献２には、前記の変色を防止する技術については、何ら開示されていない。
【０００６】
【特許文献１】特開２０００−２５１０４２号公報
【特許文献２】特開２００２−２８８６２０号公報
【発明の開示】
【発明が解決しようとする課題】
【０００７】
従って、本発明の課題は、経時変化による変色を抑制し得るリライト層を有するＩＣタグを提供することにある。
【課題を解決するための手段】
【０００８】
本発明は、高分子材料の変色の大きな要因が、紫外線による化学変化にあることと、紫外線のエネルギーを、熱エネルギーに変換して放出する機能を有する化合物、即ち紫外線吸収剤を用いることを検討した結果なされたものである。
【０００９】
即ち、本発明は、リライト層を有するＩＣタグにおいて、前記リライト層は紫外線吸収剤を含むことを特徴とするＩＣタグである。
【００１０】
また、本発明は、リライト層を有するＩＣタグにおいて、前記リライト層は紫外線吸収剤を含む、紫外線吸収層を有することを特徴とするＩＣタグである。
【発明の効果】
【００１１】
本発明のＩＣタグは、紫外線吸収剤を含むことから、長期間紫外線の照射を受けても、化学変化が抑制され、変色が極めて少ない。また、紫外線による、高分子材料の化学変化は、殆どの場合、機械的な強度低下に繋がるので、紫外線吸収剤を用いることは、機械的な特性低下を抑制することにも効果を奏するものである。
【発明を実施するための最良の形態】
【００１２】
本発明に用いられる、紫外線吸収剤としては、無機化合物であれば、酸化セリウム系化合物などが、有機化合物であれば、ベンゾトリアゾール系の化合物が挙げられるが、これらに限定されるものではない。高分子材料との相溶性などを考慮すると有機化合物を用いることが望ましい。
【００１３】
これらの紫外線吸収剤の使用方法としては、紫外線吸収剤をリライト層に直接含有させるか、または、リライト層とは別に紫外線吸収剤を含有させた高分子層を調製して、リライト層の表面に貼り付ける方法が挙げられる。
【００１４】
また、リライト層の発色には、サーモクロミック材料の他に、エレクトロクロミック材料、フォトクロミック材料などの、外部から電圧を加えたり、特定波長の光線を照射したりすることで、可逆的に発色、消色を繰り返すことが可能な材料を用いることができる。サーモクロミック材料を用いる場合であれば、無機化合物としては、Ｃｕ2ＨｇＩ4、Ａｇ2ＨｇＩ4の化学式で表される化合物が、有機化合物としては、スピロピラン類、コステリック液晶、ロイコ色素などを用いることができ、用途や使用条件により、適宜選択する。
【００１５】
なお、ＩＣチップ、アンテナ、タグの基材などは、公知の材料や構成をそのまま用いることができる。
【実施例１】
【００１６】
次に、具体的な実施例について、図を参照して説明する。
【００１７】
図１は、本発明に係る第１の実施例のＩＣタグの断面図である。図１において、１はＩＣチップ、２はアンテナ、３は中間層、４は第１のカード基材、５は第２のカード基材、６はリライト層である。
【００１８】
本実施例においては、リライト層６に紫外線吸収剤が含まれている。ＩＣチップ１及びアンテナ２には公知の技術で得られるものをそのまま用いている。また、中間層３、第１のカード基材４、第２のカード基材５にはポリエチレンテレフタレートが用いられ、ホットメルト接着材により、貼り合わされている。
【００１９】
また、リライト層は、１００重量部のアクリル樹脂に対し、ロイコ色素、具体的には、３−ジエチルアミノ−６−メチル−７アリニノフルオランを２０重量部、紫外線吸収剤、具体的には、２−（５−メチル−２−ヒドロキシフェニル）ベンズトリアゾールを５重量部加えたものである。
【００２０】
このように、ＩＣタグと一体に形成されたリライト層に紫外線吸収剤を加えることで、長期間使用しても、リライト層を構成する高分子材料の、化学変化に起因する変色を抑制することができる。
【実施例２】
【００２１】
図２は、本発明に係る第２の実施例の断面図である。図２において、７はＩＣチップ、８はアンテナ、９は中間層、１０は第１のカード基材、１１は第２のカード基材、１２はリライト層、１３は紫外線吸収層である。
【００２２】
本実施例においては、紫外線吸収層１３をリライト層１２とは別途に設けている。ＩＣチップ７、アンテナ８、中間層９、第１のカード基材１０、第２のカード基材１１は、第１の実施例と同一の構成である。
【００２３】
リライト層１２は、１００重量部のアクリル樹脂に、ロイコ色素を２０重量部加えた構成である。また、紫外線吸収層１３は、１００重量部のアクリル樹脂に、紫外線吸収剤を５重量部加えた構成である。なお、紫外線吸収層１３は、紫外線吸収剤を含むインクを塗布することで形成することも可能である。
【００２４】
また、本実施例においては、リライト層１２と、紫外線吸収層１３を貼り合わせているが、紫外線吸収層は、貼り合わせないで用いることも可能である。図３は第２の実施例で、紫外線吸収層を貼り合わせないで用いた例を示す斜視図である。図３において、１４はＩＣタグ、１５は紫外線吸収層、１６はタグ取り付けピンである。
【００２５】
図３のような構成とすることで、紫外線吸収層を備えていないＩＣタグにも、紫外線の作用を抑制する機能を、簡単に付与することが可能となり、ＩＣタグのリサイクル性を向上することができる。また、前記実施例では、紫外線吸収層の基材にアクリル樹脂を用い、紫外線吸収剤に２−（５−メチル−２−ヒドロキシフェニル）ベンズトリアゾールを用いたが、他の高分子材料や紫外線吸収剤を用いても、同様の効果が得られる。
【産業上の利用可能性】
【００２６】
さらに、ここでは、ＩＣタグに適用した例を示したが、紫外線の作用で変色などの支障を生じる表示素子の類にも、本発明を適用できる。
【図面の簡単な説明】
【００２７】
【図１】第１の実施例のＩＣタグの断面図。
【図２】第２の実施例のＩＣタグの断面図
【図３】紫外線吸収層を貼り合わせないで用いた例を示す斜視図。
【符号の説明】
【００２８】
１，７    ＩＣチップ
２，８    アンテナ
３，９    中間層
４，１０    第１のカード基材
５，１１    第２のカード基材
６，１２    リライト層
１３    紫外線吸収層
１４    ＩＣタグ
１５    紫外線吸収層
１６    タグ取り付けピン
【図１】
2005190076.tif 000003
【図２】
2005190076.tif 000004
【図３】
2005190076.tif 000005